(57)【要約】【課題】信頼性を高め得る。【解決手段】記番号管理システム１は、紙幣を入金する紙幣受付払出部２４と、入金された紙幣の記番号を読み取り読取記番号データを取得する紙幣読取部２６と、紙幣を収納する紙幣カセット２８とを有する現金自動取引装置２と、紙幣カセット２８を取り扱う作業員を識別する作業員ＩＤを取得するカード受付部４４と、現金自動取引装置２から紙幣カセット２８のカセット記憶部３０を介し読取記番号データを取得する施封機制御部３６と、紙幣読取部２６において記番号が読み取られた紙幣カセット２８の紙幣の記番号を再度読み取り再読取記番号データを取得する紙幣読取部４６と、読取記番号データと再読取記番号データとを照合し、再読取記番号データに欠番があるか否かを判定する照合部４０とを有する施封機３２とを設けるようにした。【選択図】図６
2015184802.tif 000002
【特許請求の範囲】
【請求項１】
紙幣を入金する入金部と、
入金された前記紙幣の記番号を読み取り読取記番号を取得する記番号読取部と、
前記紙幣を収納する紙幣カセットと
を有する第１の現金取扱装置と、
前記紙幣カセットを取り扱う作業員を識別する作業員識別情報を取得する作業員識別情報取得部と、
前記第１の現金取扱装置から前記読取記番号を取得する読取記番号取得部と、
前記記番号読取部において記番号が読み取られた前記紙幣カセットの紙幣の記番号を再度読み取り再読取記番号を取得する記番号再読取部と、
前記読取記番号と前記再読取記番号とを照合し、前記再読取記番号に欠番があるか否かを判定する照合部と
を有する第２の現金取扱装置と
を具える現金管理システム。
【請求項２】
前記第２の現金取扱装置は、
前記照合部において欠番があると判定された場合、当該欠番の前記再読取記番号が読み取られた前記紙幣カセットを取り扱った作業員を前記作業員識別情報に基づき特定する第２の現金取扱装置制御部
をさらに有する請求項１に記載の現金管理システム。
【請求項３】
前記第１の現金取扱装置は、
前記紙幣カセットに設けられ、前記読取記番号を記憶する記憶部
をさらに有する請求項２に記載の現金管理システム。
【請求項４】
前記第１の現金取扱装置の前記記憶部は、前記紙幣カセットに内蔵されたカセット記憶部であり、
前記第２の現金取扱装置の前記読取記番号取得部は、前記第１の現金取扱装置から前記第２の現金取扱装置まで運ばれた前記紙幣カセットにおける前記カセット記憶部から前記読取記番号を取得する
請求項３に記載の現金管理システム。
【請求項５】
前記第２の現金取扱装置は、
前記紙幣カセットが装填されるカセット装填部
をさらに有し、
前記作業員識別情報取得部は、前記カセット装填部に前記紙幣カセットが装填される際に作業員から提示される前記作業員識別情報を取得する
請求項４に記載の現金管理システム。
【請求項６】
前記第１の現金取扱装置の前記記憶部は、前記紙幣カセットに対し着脱可能に設けられた可搬型記憶媒体であり、
前記第２の現金取扱装置の前記読取記番号取得部は、前記第１の現金取扱装置から前記第２の現金取扱装置まで運ばれた前記紙幣カセットにおける前記可搬型記憶媒体から前記読取記番号を取得する
請求項３に記載の現金管理システム。
【請求項７】
前記第２の現金取扱装置は、
前記照合部において欠番があると判定された場合、当該欠番をホストに送信する通信部
をさらに有する請求項２に記載の現金管理システム。
【請求項８】
前記第１の現金取扱装置は、
前記読取記番号を前記ホストに送信する記番号送信部
をさらに有し、
前記ホストは、
前記第１の現金取扱装置から受信した前記読取記番号に、前記第２の現金取扱装置から受信した欠番と同一の記番号があるか否かを判定するホスト制御部と、
前記ホスト制御部により前記欠番と同一の記番号があると判定された場合、当該欠番を前記第１の現金取扱装置へ送信する送信部と
をさらに有する請求項７に記載の現金管理システム。
【請求項９】
前記第１の現金取扱装置は、前記欠番を前記ホストから受信した場合、当該欠番の記番号が付された紙幣を回収する
請求項８に記載の現金管理システム。
【請求項１０】
前記第２の現金取扱装置は、所定枚数の紙幣を束で施封する施封機であり、当該施封機は、紙幣カセットが装填される紙幣カセット装填部を有している
請求項２に記載の現金管理システム。
【請求項１１】
前記施封機は、
前記紙幣を施封する施封部に前記紙幣カセットから紙幣を搬送する際、前記記番号再読取部により当該紙幣から前記再読取記番号を取得する
請求項１０に記載の現金管理システム。
【請求項１２】
前記作業員識別情報は、前記第１の現金取扱装置から前記第２の現金取扱装置まで前記紙幣カセットを輸送した作業員を識別する
請求項１に記載の現金管理システム。
【請求項１３】
紙幣を入金する入金部と、
入金された前記紙幣の記番号を読み取り読取記番号を取得する記番号読取部と、
前記紙幣を収納する紙幣カセットと、
前記紙幣カセットに設けられ、前記読取記番号を記憶する記憶部と
を有する現金取扱装置。
【請求項１４】
紙幣を収納する紙幣カセットを取り扱う作業員を識別する作業員識別情報を取得する作業員識別情報取得部と、
記番号読取部において紙幣の記番号が読み取られ取得された読取記番号を外部の現金取扱装置から取得する読取記番号取得部と、
前記記番号読取部において記番号が読み取られた前記紙幣カセットの紙幣の記番号を再度読み取り再読取記番号を取得する記番号再読取部と、
前記読取記番号と前記再読取記番号とを照合し、前記再読取記番号に欠番があるか否かを判定する照合部と
を有する現金取扱装置。
【発明の詳細な説明】
【技術分野】
【０００１】
本発明は現金管理システム及び現金取扱装置に関し、例えば紙幣等の媒体を投入して所望の取引を行う現金自動取引装置（ＡＴＭ）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣カセットとを有するものがある。（例えば、特許文献１参照）。
【０００４】
そのような現金自動取引装置においては、紙幣カセット内部の紙幣が満杯になった場合、当該紙幣カセットが現金自動取引装置から取り外され、所定の現金センタへ輸送される場合がある。
【先行技術文献】
【特許文献】
【０００５】
【特許文献１】特開２０１０−１０８１６０号公報
【発明の概要】
【発明が解決しようとする課題】
【０００６】
そのように現金自動取引装置から現金センタに紙幣カセットを輸送する間に、紙幣カセットに痕跡を残さず作業員により紙幣が抜き取られてしまった場合、抜き取った作業員を特定することが望まれている。
【０００７】
本発明は以上の点を考慮してなされたもので、信頼性を高め得る現金管理システム及び現金取扱装置を提案しようとするものである。
【課題を解決するための手段】
【０００８】
かかる課題を解決するため本発明の現金管理システムにおいては、紙幣を入金する入金部と、入金された紙幣の記番号を読み取り読取記番号を取得する記番号読取部と、紙幣を収納する紙幣カセットとを有する第１の現金取扱装置と、紙幣カセットを取り扱う作業員を識別する作業員識別情報を取得する作業員識別情報取得部と、現金取引装置から読取記番号を取得する読取記番号取得部と、記番号読取部において記番号が読み取られた紙幣カセットの紙幣の記番号を再度読み取り再読取記番号を取得する記番号再読取部と、読取記番号と再読取記番号とを照合し、再読取記番号に欠番があるか否かを判定する照合部とを有する第２の現金取扱装置とを設けるようにした。
【０００９】
この現金管理システムは、第１の現金取扱装置から現金センタに紙幣が輸送される間に紙幣カセットに痕跡を残さず作業員により紙幣が抜き取られた場合であっても、再読取記番号に欠番がある紙幣カセットを取り扱った作業員の作業員識別情報に基づき、当該作業員を特定することができる。
【００１０】
また本発明の現金取扱装置においては、紙幣を入金する入金部と、入金された紙幣の記番号を読み取り読取記番号を取得する記番号読取部と、紙幣を収納する紙幣カセットと、紙幣カセットに設けられ、読取記番号を記憶する記憶部とを設けるようにした。
【００１１】
この現金取扱装置は、当該現金取扱装置から現金センタに紙幣が輸送される間に紙幣カセットに痕跡を残さず作業員により紙幣が抜き取られた場合であっても、他の現金取扱装置により再度読み取られた再読取記番号に欠番がある紙幣カセットを取り扱った作業員の作業員識別情報に基づき、当該作業員を特定することができる。
【００１２】
さらに本発明の現金取扱装置においては、紙幣を収納する紙幣カセットを取り扱う作業員を識別する作業員識別情報を取得する作業員識別情報取得部と、記番号読取部において紙幣の記番号が読み取られ取得された読取記番号を外部の現金取扱装置から取得する読取記番号取得部と、記番号読取部において記番号が読み取られた紙幣カセットの紙幣の記番号を再度読み取り再読取記番号を取得する記番号再読取部と、読取記番号と再読取記番号とを照合し、再読取記番号に欠番があるか否かを判定する照合部とを設けるようにした。
【００１３】
この現金取扱装置は、他の現金取扱装置から現金センタに紙幣が輸送される間に紙幣カセットに痕跡を残さず作業員により紙幣が抜き取られた場合であっても、再読取記番号に欠番がある紙幣カセットを取り扱った作業員の作業員識別情報に基づき、当該作業員を特定することができる。
【発明の効果】
【００１４】
本発明によれば、現金取扱装置から現金センタに紙幣が輸送される間に紙幣カセットに痕跡を残さず作業員により紙幣が抜き取られた場合であっても、再読取記番号に欠番がある紙幣カセットを取り扱った作業員の作業員識別情報に基づき、当該作業員を特定することができる。かくして本発明は、信頼性を高め得る現金管理システム及び現金取扱装置を実現できる。
【図面の簡単な説明】
【００１５】
【図１】第１の実施の形態による記番号管理システムの構成を示す略線図である。
【図２】第１の実施の形態による現金自動取引装置の構成を示す略線図である。
【図３】施封機の構成を示す略線図である。
【図４】ホストの構成を示す略線図である。
【図５】第１の実施の形態による記番号管理処理手順（１）を示すシーケンスチャートである。
【図６】第１の実施の形態による記番号管理処理手順（２）を示すシーケンスチャートである。
【図７】第２の実施の形態による記番号管理システムの構成を示す略線図である。
【図８】第２の実施の形態による現金自動取引装置の構成を示す略線図である。
【図９】紙幣読取機の構成を示す略線図である。
【図１０】第２の実施の形態による記番号管理処理手順（１）を示すシーケンスチャートである。
【図１１】第２の実施の形態による記番号管理処理手順（２）を示すシーケンスチャートである。
【発明を実施するための形態】
【００１６】
以下、発明を実施するための形態（以下実施の形態とする）について、図面を用いて説明する。
【００１７】
［１．第１の実施の形態］
［１−１．記番号管理システムの構成］
図１に示すように、記番号管理システム１は、現金自動取引装置２ａ、２ｂ、２ｃ……２ｎ及び現金センタ４が、インターネットＮＴを介してホスト６と接続されている。
【００１８】
現金自動取引装置２ａ、２ｂ、２ｃ……２ｎ（以下ではまとめて現金自動取引装置２とも呼ぶ）は、例えば金融機関等に設置され、顧客との間で入金取引や出金取引等の現金に関する取引を行う。現金センタ４は、施封機３２が設置されており、現金自動取引装置２から紙幣が収納された紙幣カセットを搬送される。ホスト６は、例えばＰＣ（Personal Computer）により構成され、現金自動取引装置２と種々のデータ通信を行うことにより取引を監視する。
【００１９】
［１−２．現金自動取引装置の構成］
図２に示すように、現金自動取引装置２は、当該現金自動取引装置２全体を統轄制御する主制御部１０や、紙幣に関する種々の処理を行う現金処理機２０等が設けられている。主制御部１０は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示しない）から所定のプログラムを読み出して実行することにより、各部を制御して入金処理や出金処理等の種々の処理を行う。通信部１２は、インターネットＮＴに接続されており、当該インターネットＮＴを介しホスト６、現金センタ４及び他の現金自動取引装置２とデータの送受信を行う。
【００２０】
現金自動取引装置２は、その前側に接客部１４が設けられており、当該接客部１４は、操作表示部１６、カード受付部１８及び紙幣受付払出部２４を有し、顧客との間で現金や通帳等を直接やり取りすると共に、取引に関する情報の通知や操作指示の受付を行う。操作表示部１６は、取引に際して操作画面を表示するＬＣＤ（Liquid Crystal Display）と、取引の種類の選択、暗証番号や取引金額等を入力するタッチパネルとが一体化されている。カード受付部１８は、キャッシュカード等の各種カードが挿入又は排出される部分である。カード受付部１８の奥側には、各種カードに磁気記録された口座番号等の読み取りを行うカード処理部（図示せず）が設けられている。
【００２１】
現金処理機２０は、現金処理制御部２２が各部（紙幣受付払出部２４、紙幣読取部２６、紙幣カセット２８及びリジェクト庫２９等）を統轄制御する。これらの紙幣受付払出部２４、紙幣読取部２６、紙幣カセット２８及びリジェクト庫２９は、紙幣を搬送する搬送路により接続されている。
【００２２】
現金処理制御部２２は、図示しないＣＰＵを中心に構成されており、記憶部（図示しない）から所定のプログラムを読み出して実行することにより、各部を制御して入金取引や出金取引等の種々の処理を行う。
【００２３】
紙幣受付払出部２４は、入金取引時に顧客から紙幣を投入され、当該紙幣を紙幣読取部２６へ向かって搬送路へ繰り出すと共に、出金取引時に紙幣を排出することにより顧客に返却する。紙幣読取部２６は、その内部で紙幣を搬送しながら、光学素子や磁気検出素子等を用いて当該紙幣の金種及び真偽、並びに損傷の程度等（正損）を鑑別し、その鑑別結果を現金処理制御部２２へ通知する。また紙幣読取部２６は、撮像した紙幣の画像データから、紙幣毎に付与されその紙幣の一面に予め印刷された英数字等で構成された紙幣識別情報である記番号を読み取り識別し、識別した字である読取記番号データを識別結果として現金処理制御部２２へ通知する。これに応じて現金処理制御部２２は、取得した読取記番号データを紙幣カセット２８へ供給する。このとき現金処理制御部２２は、記番号送信部としての通信部１２により、読取記番号データを取引情報と共にホスト６へ送信する。
【００２４】
現金処理機２０の下部分には、複数の紙幣カセット２８ａ……２８ｎ（以下ではまとめて紙幣カセット２８とも呼ぶ）が前後方向に並んで配置されており、上方向に引き抜かれることによりそれぞれ現金自動取引装置２から着脱可能な着脱式となっている。紙幣カセット２８ａ……２８ｎそれぞれは、例えばフラッシュメモリ等により構成されたカセット記憶部３０ａ……３０ｎ（以下ではまとめてカセット記憶部３０とも呼ぶ）を内蔵している。カセット記憶部３０は、現金処理制御部２２から読取記番号データを取得し紙幣毎に記憶する。この紙幣カセット２８は、収納された紙幣が満杯になると、現金自動取引装置２から取り外され作業員により運ばれて現金センタ４に回収される。
【００２５】
また紙幣カセット２８ａの前側にはリジェクト庫２９が設けられており、入金取引及び出金取引時において識別結果が異常であった紙幣や、紙幣カセット２８から抜き取られた可能性がある紙幣の記番号と同一の記番号が付された紙幣が発見された際、当該紙幣を格納する。
【００２６】
［１−３．施封機の構成］
図３に示すように施封機３２は、箱状の施封機筐体３３を中心に構成されており、現金センタ４に設置され、投入された紙幣を施封して紙幣小束にする。また施封機３２は、第２の現金取扱装置制御部としての施封機制御部３６が各部（操作表示部４２、カード受付部４４、紙幣読取部４６、紙幣受付部４９、紙幣カセット装填部４８及び施封部５０）を統轄制御する。これらの紙幣読取部４６、紙幣受付部４９、紙幣カセット装填部４８及び施封部５０は、紙幣を搬送する図示しない搬送路により接続されている。
【００２７】
施封機制御部３６は、図示しないＣＰＵを中心に構成されており、ＲＯＭ、ＲＡＭ、ハードディスクドライブやフラッシュメモリ等でなる記憶部３７から所定のプログラムを読み出して実行することにより、各部を制御して金種別の紙幣を所定枚数（例えば１００枚）毎に施封して紙幣小束にする。
【００２８】
施封機筐体３３は、前面を覆う前扉（図示せず）が開閉可能に構成されている。すなわち施封機筐体３３は、内部で紙幣の施封処理を行う施封動作時には、前扉等を閉塞することにより、内部に保有している紙幣等を保護する。一方施封機筐体３３は、作業員が紙幣カセット２８を紙幣カセット装填部４８に装填する紙幣カセット装填時には、作業員の操作に応じて前扉等を開放することにより、紙幣カセット２８を紙幣カセット装填部４８に装填させる。
【００２９】
通信部３８は、インターネットＮＴに接続されており、当該インターネットＮＴを介しホスト６及び現金自動取引装置２とデータの送受信を行う。
【００３０】
操作表示部４２は、各種情報を表示するＬＣＤと、各種操作を入力するタッチパネルとが一体化されている。カード受付部４４は、作業員を識別する作業員識別情報としての作業員ＩＤが記憶されたＩＤカードが挿入又は排出される部分である。カード受付部４４の奥側には、各種カードに磁気記録された作業員ＩＤの読み取りを行うカード処理部（図示せず）が設けられている。施封機制御部３６は、ＩＤカードから作業員ＩＤを取得すると、施封機筐体３３の前扉等を開放することにより、紙幣カセット２８を紙幣カセット装填部４８に装填させ得る状態にする。
【００３１】
紙幣受付部４９は、施封すべき紙幣を外部から受け入れ、施封部５０へ搬送する。一方紙幣カセット装填部４８は、現金自動取引装置２から取り外された紙幣カセット２８が着脱可能になっており、紙幣カセット２８が装填されたことを検出すると、その検出結果を施封機制御部３６へ通知する。また紙幣カセット装填部４８は、紙幣カセット２８のカセット記憶部３０から読取記番号データを読み出し施封機制御部３６に供給すると共に、当該紙幣カセット２８から紙幣読取部４６に向かって紙幣を繰り出す。
【００３２】
紙幣読取部４６は、その内部で紙幣を搬送しながら、撮像した紙幣の画像データから記番号を読み取り再識別し、識別した字である再読取記番号データを再識別結果として施封機制御部３６へ通知する。これに応じて施封機制御部３６の照合部４０は、取得した複数の紙幣の再読取記番号データを、紙幣カセット装填部４８に装填された紙幣カセット２８のカセット記憶部３０に記憶された複数の紙幣の読取記番号データと照合し同一であるか否かを判定する。具体的には照合部４０は、複数の紙幣の記番号が示された再読取記番号データと読取記番号データとを比較し、読取記番号データに対し、再読取記番号データに欠番があるか否かを判定する。
【００３３】
施封部５０は、紙幣受付部４９又は紙幣読取部４６から搬送された紙幣を例えば１００枚の束毎に紙幣小束として紙帯で施封する。
【００３４】
［１−４．ホストの構成］
ホスト６は、図４に示すように、ホスト制御部７０が各部（記憶部７２、通信部７４、操作部７６及び表示部７８）を統轄制御する。ホスト制御部７０は、図示しないＣＰＵを中心に構成されており、ＲＯＭ、ＲＡＭ、ハードディスクドライブやフラッシュメモリ等でなる記憶部７２から所定のプログラムを読み出して実行することにより、各部を制御して種々の処理を行う。通信部７４は、インターネットＮＴを介し現金センタ４及び現金自動取引装置２とデータの送受信を行う。
【００３５】
ホスト制御部７０は、通信部７４を介し現金センタ４から、紛失された可能性のある紙幣の記番号である紛失記番号データを含む不一致情報（後述する）を受信すると、当該不一致情報を記憶部７２に記憶する。またホスト制御部７０は、通信部７４を介し現金自動取引装置２から読取記番号データを受信すると、当該読取記番号データが、記憶部７２に記憶している不一致情報に含まれる紛失記番号データと一致するか否かを判定し、一致した場合、当該紛失記番号データを盗難紙幣検出情報として、通信部７４を介して現金自動取引装置２へ送信する。
【００３６】
操作部７６は、例えばキーボード及びマウスにより構成され、操作者の操作指示を受け付ける。表示部７８は、例えば液晶ディスプレイにより構成され、操作画面を表示する。
【００３７】
［１−５．記番号管理処理］
次に、記番号管理システム１による記番号管理処理手順ＲＴ１について、図５及び図６に示すシーケンスチャートを用いて詳細に説明する。
【００３８】
ステップＳＰ１において現金自動取引装置２の現金処理制御部２２は、入金取引時、顧客により操作表示部１６を介して入金取引が選択されると、紙幣受付払出部２４により紙幣を受け入れステップＳＰ２に移り、投入された紙幣を紙幣受付払出部２４から１枚ずつ紙幣読取部２６に搬送し、紙幣を鑑別すると共に記番号を読み取り読取記番号データを取得する。ここで現金処理制御部２２は、紙幣読取部２６の鑑別結果及び識別結果に基づき入金可能と判定された紙幣については図示しない一時保留部に搬送し、顧客により入金金額が確定されると、一時保留部に収納している紙幣を紙幣カセット２８へ搬送し収納する。一方で現金自動取引装置２は、入金に適さないと判定された紙幣については紙幣受付払出部２４へ戻して、シャッタを開くことで利用者に返却する。
【００３９】
ステップＳＰ３において現金処理制御部２２は、紙幣を収納した紙幣カセット２８のカセット記憶部３０に取得した読取記番号データを記憶しステップＳＰ４に移り、当該読取記番号データを通信部１２によりホスト６へ送信する。
【００４０】
ここで、紙幣カセット２８内部の紙幣が満杯になり、当該紙幣カセット２８が現金自動取引装置２から取り外され、作業員により現金センタ４に運ばれる。ステップＳＰ５において施封機３２の施封機制御部３６は、カード受付部４４により作業員からＩＤカードを受け付け作業員ＩＤを取得して記憶部３７に記憶しステップＳＰ６へ移る。
【００４１】
ステップＳＰ６において施封機制御部３６は、現金自動取引装置２から取り外された紙幣カセット２８が紙幣カセット装填部４８に装着されたことを検出してステップＳＰ７へ移り紙幣カセット２８から１枚ずつ紙幣読取部４６へ紙幣を搬送し記番号を読み取り、再読取記番号データとして記憶部３７に記憶し、紙幣読取部４６から施封部５０へ紙幣を搬送し施封部５０により紙幣を施封する。ステップＳＰ８において施封機制御部３６は、紙幣カセット２８のカセット記憶部３０から読取記番号データを読み出して取得する。
【００４２】
ステップＳＰ９において施封機制御部３６は、カセット記憶部３０から取得した読取記番号データと、紙幣読取部４６により読み取った再読取記番号データとを照合部４０により照合する。
【００４３】
ステップＳＰ１０において施封機制御部３６は、読取記番号データと再読取記番号データとに不一致があったか否かを判定し、ここで肯定結果が得られるとステップＳＰ１１へ移り、記憶部３７に記憶した作業員ＩＤを記番号不一致時作業員ＩＤとし、読取記番号データに対し再読取記番号データに存在した欠番の記番号データを紛失記番号データとして、当該記番号不一致時作業員ＩＤと当該紛失記番号データとを対応付けて不一致情報として通信部３８によりホスト６へ送信する。
【００４４】
ステップＳＰ１２においてホスト６のホスト制御部７０は、通信部７４を介し施封機３２から不一致情報を受信したか否かを判定し、ここで肯定結果が得られるとステップＳＰ１３へ移り、当該不一致情報を記憶部７２に記憶する。
【００４５】
ステップＳＰ１４においてホスト制御部７０は、通信部７４を介し現金自動取引装置２から、入金取引において取得した読取記番号データを取引情報と共に受信したか否かを判定し、ここで肯定結果が得られると、ステップＳＰ１５へ移る。ステップＳＰ１５においてホスト制御部７０は、受信した読取記番号データが、記憶部７２に記憶している不一致情報に含まれる紛失記番号データと一致するか否かを判定し、ここで肯定結果が得られると、ステップＳＰ１６へ移り、当該紛失記番号データを、盗難された可能性のある紙幣の記番号を示す情報である盗難紙幣検出情報として、通信部７４により現金自動取引装置２へ送信する。
【００４６】
ステップＳＰ１７において現金自動取引装置２の現金処理制御部２２は、通信部１２によりホスト６から盗難紙幣検出情報を受信したか否かを判定し、ここで肯定結果が得られると、ステップＳＰ１８へ移り、所定の盗難紙幣検出時対処を行う。具体的には現金処理制御部２２は、盗難紙幣検出情報に含まれる紛失記番号データが付された紙幣をリジェクト庫２９に格納することにより、紙幣カセット２８内の紙幣とは分別して保管する。
【００４７】
［１−６．動作及び効果］
以上の構成において、現金自動取引装置２は、入金取引時に取り込んだ紙幣の読取記番号データを、紙幣毎に紙幣カセット２８のカセット記憶部３０に記憶するようにした。また施封機３２は、現金自動取引装置２から取り外された紙幣カセット２８が紙幣カセット装填部４８に装着されると、当該紙幣カセット２８のカセット記憶部３０から読取記番号データを読み出して取得すると共に紙幣読取部４６へ紙幣を搬送し再読取記番号データを取得して当該読取記番号データと当該再読取記番号データとを照合し、再読取記番号データに欠番が存在した場合、不一致情報をホスト６に送信するようにした。
【００４８】
ホスト６は、現金自動取引装置２から入金取引時において取得した読取記番号データを取引情報と共に逐次取得することにより当該現金自動取引装置２の取引を監視し、不一致情報に含まれる紛失記番号データと一致する読取記番号データを発見した、すなわち紛失した記番号が付された紙幣が現金自動取引装置２に入金された際に、取引情報に基づき、当該現金自動取引装置２を特定すると共に、取引を行った顧客を特定するようにした。
【００４９】
これにより記番号管理システム１は、現金自動取引装置２から現金センタ４へ紙幣カセット２８を輸送している際に当該紙幣カセット２８から紙幣が抜き取られたとしても、抜き取られた紙幣に付されている記番号が付された紙幣がその後現金自動取引装置２で使用された際に、使用した顧客と、使用された現金自動取引装置２とを特定することができる。
【００５０】
また記番号管理システム１は、輸送中に紙幣カセット２８から抜き取られた可能性がある紙幣が現金自動取引装置２に入金された場合、当該紙幣はリジェクト庫２９に保管し顧客へ返却しないようにした。これにより記番号管理システム１は、盗難された可能性のある紙幣を、盗難した可能性のある作業員と共謀している可能性がある顧客へは返却せず、その後の流通を防ぎ信頼性を向上できる。
【００５１】
また記番号管理システム１は、施封機３２に紙幣カセット２８を装填させる際に作業員ＩＤを取得し、現金自動取引装置２から現金センタ４へ紙幣カセット２８を輸送している際に当該紙幣カセットから紙幣が抜き取られた可能性がある場合、当該作業員ＩＤを記番号不一致時作業員ＩＤとして記憶するようにした。これにより記番号管理システム１は、現金自動取引装置２から現金センタ４へ紙幣カセット２８を輸送している際に当該紙幣カセットから紙幣を抜き取った可能性がある作業員を特定することができる。
【００５２】
また、現金自動取引装置２が入金取引に取得した読取記番号データを、インターネットＮＴを介し現金自動取引装置２から現金センタ４へ送信することも考えられる。しかしながらその場合、インターネットＮＴを介してしまうため、当該読取記番号データが流出してしまう可能性がある。
【００５３】
これに対し記番号管理システム１は、紙幣カセット２８に内蔵されたカセット記憶部３０に読取記番号データを記憶し、現金センタ４まで当該紙幣カセット２８が作業員により直接輸送されることにより、読取記番号データを施封機３２に取得させるようにした。これにより記番号管理システム１は、読取記番号データが外部に流出してしまうことを防ぎ、セキュリティを保つことができる。
【００５４】
さらに記番号管理システム１は、本来紙幣受付部４９から紙幣を受け入れ施封する施封機３２に、紙幣読取部４６及び紙幣カセット装填部４８を追加し、当該紙幣カセット装填部４８に装填された紙幣を紙幣読取部４６を介し施封部５０へ搬送する際に、記番号を読み取るようにした。これにより記番号管理システム１は、従来から現金センタ４に設置してある施封機３２に、紙幣読取部４６及び紙幣カセット装填部４８を追加するだけで、他の装置を追加することなく、輸送された紙幣カセット２８から紙幣が抜き取られているか否かを判断することができる。
【００５５】
以上の構成によれば、記番号管理システム１は、紙幣を入金する紙幣受付払出部２４と、入金された紙幣の記番号を読み取り読取記番号データを取得する紙幣読取部２６と、紙幣を収納する紙幣カセット２８とを有する現金自動取引装置２と、紙幣カセット２８を取り扱う作業員を識別する作業員ＩＤを取得するカード受付部４４と、現金自動取引装置２から紙幣カセット２８のカセット記憶部３０を介し読取記番号データを取得する施封機制御部３６と、紙幣読取部２６において記番号が読み取られた紙幣カセット２８の紙幣の記番号を再度読み取り再読取記番号データを取得する紙幣読取部４６と、読取記番号データと再読取記番号データとを照合し、再読取記番号データに欠番があるか否かを判定する照合部４０とを有する施封機３２とを設けるようにした。
【００５６】
これにより記番号管理システム１は、現金自動取引装置２から現金センタ４に紙幣が輸送される間に紙幣カセット２８に痕跡を残さず作業員により紙幣が抜き取られた場合であっても、再読取記番号に欠番がある紙幣カセット２８を取り扱った作業員の作業員識別情報に基づき、当該作業員を特定することができる。
【００５７】
［２．第２の実施の形態］
［２−１．記番号管理システムの構成］
図７に示すように、第２の実施の形態による記番号管理システム１０１は、第１の実施の形態による記番号管理システム１（図１）と比べて、現金自動取引装置１０２が現金自動取引装置２と、現金センタ１０４が現金センタ４とそれぞれ異なっているものの、それ以外は同様に構成されている。現金センタ１０４は、紙幣読取機３４が設置されており、現金自動取引装置１０２から紙幣が収納された紙幣カセットを搬送される。
【００５８】
［２−２．現金自動取引装置の構成］
図８に示すように、第２の実施の形態による現金自動取引装置１０２は、第１の実施の形態による現金自動取引装置２（図２）と比べて、現金処理機１２０が現金処理機２０と異なっているものの、それ以外は同様に構成されている。現金処理機１２０は、現金処理機２０と比べて現金処理制御部１２２が現金処理制御部２２と、紙幣カセット１２８が紙幣カセット２８とそれぞれ異なっているものの、それ以外は同様に構成されている。
【００５９】
紙幣カセット１２８ａ……１２８ｎそれぞれは、例えばフラッシュメモリ等により構成された可搬型記憶媒体であるメモリカード８２ａ……８２ｎ（以下ではまとめてメモリカード８２とも呼ぶ）を挿脱可能に構成されたメモリカード書込部８０ａ……８０ｎ（以下ではまとめてメモリカード書込部８０とも呼ぶ）が設けられている。紙幣カセット１２８は、現金処理制御部１２２から読取記番号データを取得すると、メモリカード書込部８０により紙幣毎にメモリカード８２に記憶する。この紙幣カセット１２８は、当該紙幣カセット１２８内部の紙幣が満杯になると、現金自動取引装置１０２から取り外され作業員により運ばれて現金センタ１０４に回収される。
【００６０】
［２−３．紙幣読取機の構成］
図９に示すように紙幣読取機３４は、読取機制御部５２が各部（操作表示部６０、メモリカード読取部５８、カード受付部６１、紙幣受付部６２、紙幣読取部６４及び紙幣取出部６６）を統轄制御する。これらの紙幣受付部６２、紙幣読取部６４及び紙幣取出部６６は、紙幣を搬送する図示しない搬送路により接続されている。
【００６１】
読取機制御部５２は、図示しないＣＰＵを中心に構成されており、ＲＯＭ、ＲＡＭ、ハードディスクドライブやフラッシュメモリ等でなる記憶部５３から所定のプログラムを読み出して実行することにより、各部を制御して紙幣の記番号を読み取る。
【００６２】
通信部５４は、インターネットＮＴに接続されており、当該インターネットＮＴを介しホスト６及び現金自動取引装置１０２とデータの送受信を行う。
【００６３】
操作表示部６０は、各種情報を表示するＬＣＤと、各種操作を入力するタッチパネルとが一体化されている。カード受付部６１は、作業員ＩＤが記憶されたＩＤカードが挿入又は排出される部分である。カード受付部６１の奥側には、各種カードに磁気記録された作業員ＩＤの読み取りを行うカード処理部（図示せず）が設けられている。読取機制御部５２は、ＩＤカードから作業員ＩＤを取得すると、紙幣受付部６２により作業員から紙幣を受け入れる状態にする。
【００６４】
メモリカード読取部５８は、メモリカード書込部８０から作業員により取り出されたメモリカード８２が挿入される部分であり、メモリカード８２が挿入されると、当該メモリカード８２に記憶された読取記番号データを読み出し読取機制御部５２に供給する。
【００６５】
紙幣受付部６２は、記番号を読み取るべき紙幣を作業員から投入され、当該紙幣を紙幣読取部２６へ向かって１枚ずつ搬送路へ繰り出す。紙幣読取部６４は、その内部で紙幣を搬送しながら、撮像した紙幣の画像データから記番号を読み取り再識別し、識別した字である再読取記番号データを再識別結果として読取機制御部５２へ通知すると共に、紙幣を紙幣取出部６６へ繰り出す。これに応じて読取機制御部５２の照合部５６は、取得した再読取記番号データを、メモリカード読取部５８に挿入されたメモリカード８２に記憶された読取記番号データと照合する。紙幣取出部６６は、紙幣読取部６４から搬送された紙幣を外部へ排出することにより、作業員に受け渡す。
【００６６】
［２−４．記番号管理処理］
次に、記番号管理システム１０１による記番号管理処理手順ＲＴ２について、図１０及び図１１に示すシーケンスチャートを用いて詳細に説明する。記番号管理処理手順ＲＴ２においては、記番号管理処理手順ＲＴ１（図５及び図６）と同様の処理を行うステップについては記番号管理処理手順ＲＴ１と同じ符号で示し、以下の説明においては記番号管理処理手順ＲＴ１と異なるステップについて主に説明する。
【００６７】
ステップＳＰ１及びＳＰ２の処理を行った後、ステップＳＰ１０３において現金処理制御部１２２は、紙幣を収納した紙幣カセット１２８のメモリカード書込部８０のメモリカード８２に取得した読取記番号データを記憶しステップＳＰ４に移る。
【００６８】
ここで、紙幣カセット１２８内部の紙幣が満杯になり、当該紙幣カセット１２８が現金自動取引装置１０２から取り外され、作業員により現金センタ４に運ばれる。
【００６９】
ステップＳＰ５の処理を行った後ステップＳＰ１０６において紙幣読取機３４の読取機制御部５２は、紙幣受付部６２により作業員から紙幣を受け入れると共にメモリカード読取部５８により作業員からメモリカード８２を受け入れ、ステップＳＰ７に移り、投入された紙幣を紙幣受付部６２から１枚ずつ紙幣読取部６４に搬送し再読取記番号データを取得した後に、紙幣取出部６６から紙幣を排出する。ステップＳＰ１０８において読取機制御部５２は、メモリカード８２から読取記番号データを読み出して取得する。
【００７０】
ステップＳＰ９〜ステップＳＰ１１において読取機制御部５２は、記番号管理処理手順ＲＴ１と同様の処理を行う。またステップＳＰ１２〜ステップＳＰ１６においてホスト制御部７０は、記番号管理処理手順ＲＴ１と同様の処理を行う。さらにステップＳＰ１７〜ステップＳＰ１８において現金処理制御部１２２は、記番号管理処理手順ＲＴ１と同様の処理を行う。
【００７１】
このように記番号管理システム１０１は、紙幣カセット１２８からメモリカード８２を取り出して紙幣読取機３４に挿入させることにより読取記番号データを紙幣読取機３４が取得するようにした。これにより記番号管理システム１０１は、紙幣カセット装填部４８（図２）を有していないため紙幣カセットから読取記番号データを取得できない紙幣読取機３４においても、メモリカード８２を介し読取記番号データを取得することができる。
【００７２】
また記番号管理システム１０１は、メモリカード８２により現金自動取引装置１０２から紙幣読取機３４に読取記番号データを伝達するようにしたため、紙幣カセット自体に記憶部を設ける必要なく、また紙幣読取機３４にカセット装填部を設ける必要がなくなり、構成を簡素化することができる。
【００７３】
その他第２の実施の形態による記番号管理システム１０１は、第１の実施の形態による記番号管理システム１とほぼ同様の作用効果を奏する。
【００７４】
［３．他の実施の形態］
なお上述した第１の実施の形態においては、紙幣カセット２８のカセット記憶部３０から読取記番号データを施封機３２が取得する場合について述べた。本発明はこれに限らず、紙幣カセット２８からカセット記憶部３０を削除する一方メモリカード書込部８０を設け、施封機３２にはメモリカード読取部を設け、当該メモリカード読取部に挿入されたメモリカードから読取記番号データを施封機が取得しても良い。
【００７５】
また上述した第１の実施の形態においては、施封機３２のカード受付部４４により受け付けたＩＤカードから作業員ＩＤを取得し、第２の実施の形態においては、紙幣読取機３４のカード受付部６１により受け付けたＩＤカードから作業員ＩＤを取得する場合について述べた。本発明はこれに限らず、施封機３２の操作表示部４２又は紙幣読取機３４の操作表示部６０に対する作業員の操作により作業員ＩＤを取得しても良い。
【００７６】
さらに上述した実施の形態においては、紙幣カセット２８又は１２８を介し、現金自動取引装置２又は１０２から現金センタ４又は１０４に読取記番号データを通知する場合について述べた。本発明はこれに限らず、例えばインターネットＮＴを介し現金自動取引装置２又は１０２から現金センタ４又は１０４に読取記番号データを通知しても良い。この場合、紙幣カセット２８を識別するカセットＩＤと紐付けて読取記番号データを通知すれば良い。
【００７７】
さらに上述した第１の実施の形態においては、不一致情報を施封機３２からホスト６へ送信し、当該ホスト６が、当該不一致情報と現金自動取引装置２から受信した読取記番号データとを照合し盗難紙幣検出情報を現金自動取引装置２へ送信する場合について述べた。本発明はこれに限らず、不一致情報を施封機３２から現金自動取引装置２へ送信し、当該現金自動取引装置２が、当該不一致情報と自身の読取記番号データとを照合し、盗難された可能性のある紙幣を検出しても良い。また、施封機３２が、現金自動取引装置２からインターネットＮＴを介し読取記番号データを受信し、不一致情報と当該読取記番号データとを照合し盗難紙幣検出情報を現金自動取引装置２へ送信しても良い。第２の実施の形態においても同様である。
【００７８】
さらに、上述した盗難紙幣検出時対処を行う際、例えば記番号不一致時作業員ＩＤに対応する作業員が居住している地域の近隣の地域に設置された現金自動取引装置２又は１０２で、当該作業員が抜き出した可能性がある紙幣が発見された場合、当該現金自動取引装置を使用した顧客は悪意の可能性があると判断しても良い。
【００７９】
さらに上述した実施の形態においては、紙幣受付払出部２４から紙幣読取部２６へ紙幣を搬送して記番号を読み取り、読取記番号データとして記憶する場合について述べた。本発明はこれに限らず、入金可能と判定し一時保留部に保留した紙幣を紙幣読取部２６へ搬送して記番号を読み取り、読取記番号データとして記憶しても良い。
【００８０】
さらに上述した実施の形態においては、盗難紙幣検出時対処として、盗難紙幣検出情報に含まれる紛失記番号データが付された紙幣をリジェクト庫２９に格納する場合について述べた。本発明はこれに限らず、紛失記番号データが付された紙幣をリジェクト庫２９に格納すると共に係員に通知したり、現金自動取引装置２では受け付けずに顧客へ返却し取引中止にしたりしても良い。
【００８１】
さらに上述した第１の実施の形態においては、紙幣が収納された紙幣カセット２８を現金自動取引装置２から施封機３２へ輸送する際に本発明を適用する場合について述べた。本発明はこれに限らず、現金自動取引装置２同士で紙幣カセット２８を輸送する際や、施封機３２同士で紙幣カセット２８を輸送する際や、施封機３２から現金自動取引装置２へ紙幣カセット２８を輸送する際等に本発明を適用しても良い。第２の実施の形態においても同様である。
【００８２】
さらに上述した実施の形態においては、現金を取引する現金自動取引装置２及び１０２において、媒体としての紙幣の記番号を記憶する場合に本発明を適用する場合について述べた。本発明はこれに限らず、例えば商品券や金券、入場券等のような薄い紙状の媒体に付された固有な識別字を鑑別部により読み取り記憶する種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００８３】
さらに上述した実施の形態においては、入金取引及び出金取引を行う現金自動取引装置２及び１０２に本発明を適用する場合について述べたが、入金取引のみを行う装置に本発明を適用しても良い。
【００８４】
さらに上述した実施の形態においては、施封機３２又は紙幣読取機３４に本発明を適用する場合について述べたが、例えば金融機関に設置され行員が操作することで紙幣を入出するテラーキャッシャーや、売上金を管理する入出金機等に本発明を適用してもよい。
【００８５】
さらに上述した実施の形態においては、入金部としての紙幣受付払出部２４と、記番号読取部としての紙幣読取部２６と、紙幣カセットとしての紙幣カセット２８又は１２８とを有する第１の現金取扱装置としての現金自動取引装置２又は１０２と、作業員識別情報取得部としてのカード受付部４４又は６１と、読取記番号取得部としての施封機制御部３６又は読取機制御部５２と、記番号再読取部としての紙幣読取部４６又は６４と、照合部としての照合部４０又は５６とを有する第２の現金取扱装置としての施封機３２又は紙幣読取機３４とを具える現金管理システムとしての記番号管理システム１又は１０１を構成する場合について述べた。
【００８６】
本発明はこれに限らず、その他種々の構成でなる入金部と、記番号読取部と、紙幣カセットとを有する第１の現金取扱装置と、作業員識別情報取得部と、読取記番号取得部と、記番号再読取部と、照合部とを有する第２の現金取扱装置とによって現金管理システムを構成しても良い。
【００８７】
さらに上述した実施の形態においては、入金部としての紙幣受付払出部２４と、記番号読取部としての紙幣読取部２６と、紙幣カセットとしての紙幣カセット２８又は１２８と、記憶部としてのカセット記憶部３０又はメモリカード８２とによって、現金取扱装置としての現金自動取引装置２又は１０２を構成する場合について述べた。
【００８８】
本発明はこれに限らず、その他種々の構成でなる入金部と、記番号読取部と、紙幣カセットと、記憶部とによって現金取扱装置を構成しても良い。
【００８９】
さらに上述した実施の形態においては、作業員識別情報取得部としてのカード受付部４４又は６１と、読取記番号取得部としての施封機制御部３６又は読取機制御部５２と、記番号再読取部としての紙幣読取部４６又は６４と、照合部としての照合部４０又は５６とによって、現金取扱装置としての施封機３２又は紙幣読取機３４を構成する場合について述べた。
【００９０】
本発明はこれに限らず、その他種々の構成でなる作業員識別情報取得部と、読取記番号取得部と、記番号再読取部と、照合部とによって現金取扱装置を構成しても良い。
【産業上の利用可能性】
【００９１】
本発明は、紙幣カセットから抜き取られた紙幣を特定する種々のシステムでも利用できる。
【符号の説明】
【００９２】
１、１０１……記番号管理システム、２、１０２……現金自動取引装置、４、１０４……現金センタ、６……ホスト、１０……主制御部、１２……通信部、１４……接客部、１６……操作表示部、１８……カード受付部、２０、１２０……現金処理機、２２、１２２……現金処理制御部、２４……紙幣受付払出部、２６……紙幣読取部、２８、１２８……紙幣カセット、２９……リジェクト庫、３０……カセット記憶部、３２……施封機、３３……施封機筐体、３４……紙幣読取機、３６……施封機制御部、３７……記憶部、３８……通信部、４０……照合部、４２……操作表示部、４４……カード受付部、４６……紙幣読取部、４８……紙幣カセット装填部、４９……紙幣受付部、５０……施封部、５２……読取機制御部、５３……記憶部、５４……通信部、５６……照合部、５８……メモリカード読取部、６０……操作表示部、６１……カード受付部、６２……紙幣受付部、６４……紙幣読取部、６６……紙幣取出部、７０……ホスト制御部、７２……記憶部、７４……通信部、７６……操作部、７８……表示部、８０……メモリカード書込部、８２……メモリカード、ＮＴ……インターネット。
【図１】
2015184802.tif 000003
【図２】
2015184802.tif 000004
【図３】
2015184802.tif 000005
【図４】
2015184802.tif 000006
【図５】
2015184802.tif 000007
【図６】
2015184802.tif 000008
【図７】
2015184802.tif 000009
【図８】
2015184802.tif 000010
【図９】
2015184802.tif 000011
【図１０】
2015184802.tif 000012
【図１１】
2015184802.tif 000013